(57)【特許請求の範囲】
【請求項１】
基礎上の下面板に固定され中央が低く両端が高い最低４本が２本ずつ直列してそれらが並列に配された円弧状のＸレールと、前記Ｘレールの上方で上面板の下面に固定され前記Ｘレールに対し直交する方向で中央が高く両端が低い最低４本が２本ずつ直列してそれらが並列に配された円弧状のＹレールと、下部はＸレールを挟み上部はＹレールを挟み中央に皿ばねを設けた連結ブロックと、前記Ｘレールと前記Ｙレールのそれぞれのつなぎ目に配置した緩衝器と、前記上面板に、免震物の下面に固定され下方に突出した支持脚を収容固定すべき凹部を備えたことを特徴とする展示ケース用低床型免震装置。
【請求項２】
前記連結ブロックは、前記Ｘレールをボールベアリングを配して挟持する下部挟持部と、前記Ｙレールをボールベアリングを配して挟持する上部挟持部と、該上部挟持部の中央から垂下して下部挟持部を貫通する中心軸と、該中心軸の周りに位置して下部挟持部と上部挟持部との間に介装された皿ばねと、からなる請求項１に記載の展示ケース用低床型免震装置。
【請求項３】
前記上面板が複数の貫通孔を有している請求項１又は２に記載の展示ケース用低床型免震装置。
【請求項４】
前記上面板と前記下面板の中央部に摩擦ダンパーを配置してなる請求項１，２又は３に記載の展示ケース用低床型免震装置。
【発明の詳細な説明】
【０００１】
【発明の属する技術分野】
本発明は、博物館の展示品等の免震物を地震から保護するための低床型の免震装置に関するものである。
【０００２】
【従来の技術】
従来の免震装置は、図７に示すように基礎上に固定された下面板１に固定されたＸレール３とそのＸレール３の上方で上面板２の下面に固定され、かつ前記Ｘレール３と直交する方向に配置されたＹレール４とを連結ブロック５により連結されたものである。図示してないが免震装置と基礎の間に復元用のばねが必要である。連結ブロックは下部がボールベアリングを配してＸレールを挟み上部もボールベアリングを配してＹレールを挟んで中央部にユニバーサルジョイントを有して運動する構成である。免震物１０はその免震装置の上に載置するのでほぼ免震装置の高さ相当量が高くなり、例えば博物館等の展示ケースを免震物の対象とするような場合には、目線の低い見学者が展示ケース内を水平の位置から観賞できないことも起こり得る。又、美観上からも展示ケースはできるだけ低くする方が良い。
【０００３】
【発明が解決しようとする課題】
本発明は、新規の免震物の免震装置の製作の他に、従来の免震物に適用しても従来の高さとほぼ同一高さに設置することができる展示ケース用低床型の免震装置を提供するものである。
【０００４】
【課題を解決するための手段】
上記課題を解決するための本発明の構成は、基礎上の下面板に固定され中央が低く両端が高い最低４本が２本ずつ直列してそれらが並列に配された円弧状のＸレールと、前記Ｘレールの上方で上面板の下面に固定され前記Ｘレールに対し直交する方向で中央が高く両端が低い最低４本が２本ずつ直列してそれらが並列に配された円弧状のＹレールと、下部はＸレールを挟み上部はＹレールを挟み中央に皿ばねを設けた連結ブロックと、前記Ｘレールと前記Ｙレールのそれぞれのつなぎ目に配置した緩衝器と、前記上面板に、免震物の下面に固定され下方に突出した支持脚を収容固定すべき凹部を備えたことを特徴とする展示ケース用低床型免震装置である。
また、前記連結ブロックは、前記Ｘレールをボールベアリングを配して挟持する下部挟持部と、前記Ｙレールをボールベアリングを配して挟持する上部挟持部と、該上部挟持部の中央から垂下して下部挟持部を貫通する中心軸と、該中心軸の周りに位置して下部挟持部と上部挟持部との間に介装された皿ばねと、からなるとよい。
【０００５】
又、前記上面板は複数の貫通孔を有しているとよい。
【０００６】
さらに、前記下面板と上面板の中央部の間に摩擦ダンパーを設けることによって他のオイルダンパー等では得られない特徴例えば小型でかつ大きな変位をしても減衰できる確実な免震装置となる。
【０００７】
上記ＸレールとＹレールとはそれぞれ少なくとも２本ずつ設けてあるが（並列）、１本を１つの円弧状レールのみで構成しても良いが、２つの円弧状レールを直列に設けても良い。そして、緩衝器は１つの円弧状レールの場合はその両端に、２つの円弧状レールを直列に設けた場合はそのつなぎ部に設けるだけでも良い。振動が発生すると連結ブロックは円弧状のレールに沿って移動するが、振動が大きい場合は連結ブロックが緩衝器に衝突して衝撃が緩和される。円弧状レールは復元作用をするので、従来の復元用のばねは不要である。
【０００８】
連結ブロックは、下部がボールベアリングを配してＸレールを挟み、上部もボールベアリングを配してＹレールを挟んで中央部に皿ばねを設けることによって上下方向の変位を制御して水平を維持して直線運動する。又、下面板と上面板の中央部の間に摩擦ダンパーを備えることによって、振動をさらに減衰する。
【０００９】
上面板に設けた凹部は免震物の下面に固定され下方に突出した免震物の支持脚を収容固定して、その凹部の深さだけ免震物の高さが低くなる。
【００１０】
【発明の実施の形態】
図面に基づいて本発明の実施の形態例を説明する。
【００１１】
図１は平常時の相対位置を示す正面図で、下面板１に直列に固定された２つの円弧状のＸレール３に連結ブロック５の下部が係合し、Ｘレールのつなぎ目に緩衝器８が設けてある。一方、Ｙレール４は上面板２の下面にＸレール３とは直交する方向に設けてあり、連結ブロック５の上部が係合している。６は上面板２に設けた凹部であって、そこに免震物１０の下面に固定され下方に突出した支持脚７を収容固定している。このため免震物の設置高さが低くなる。又、別に装置の中心部には公知の摩擦ダンパー９（図６参照）が設けられている。
【００１２】
図２は図１の側面図で上面板２の下面に固定された２つの円弧状のＹレール４に連結ブロック５の上部が係合し、Ｙレール４のつなぎ目に緩衝器８が設けてある。
【００１３】
図３は、図１における免震物１０が振動により右方向に移動した場合の相対位置を示す。両側の連結ブロック５、５はＸレール３上を右方向に移動し端部で止まり、次に中央側の左方向に戻り、又、右方向に移動するということを繰り返す。また、さらに振動が大きい場合は左側の連結ブロック５が緩衝器８に当り衝撃が緩和される。もちろん、右側の連結ブロック５が左方向に移動して緩衝器８に当り衝撃が緩和される場合もある。さらには本免震装置の中心部にセットした公知の摩擦ダンパー９（図６参照）の減衰作用もあって、有効な免震作用が生じる。
【００１４】
図４は連結ブロック５を拡大して示した図で、連結ブロック５はＸレール３とＹレール４との間に設けられ、下部挾持部５−１がボールベアリングの介在でＸレールを挟み、上部挾持部５−２もボールベアリングの介在でＹレールを挟み、両者の間に上部挾持部５−２の下面に固定した中心軸５−４が直列に配列した４枚の中心を貫通している皿ばね５−３を設けてある。
【００１５】
図５は緩衝器８の一例である。この緩衝器８はＸレール３及びＹレール４をそれぞれ直列配列した場合はつなぎ部、平列配列した場合は各端部に水平に固定する。免震物１０が振動すると連結ブロック５が衝突して衝撃が緩和される。
【００１６】
図６は以上の実施例の免震装置における各部品を分解して立体的に表した図である。上面板２には免震物の荷重に耐えられる範囲内で、複数の長方形（正方形、三角形他）状の貫通孔が形成され、軽量化している。
【００１７】
本発明装置は、博物館等の固定用展示品ケースを載置してそのＸ方向、Ｙ方向の振動に対して、円弧状のレールの作用と緩衝器および摩擦ダンパーの作用及び上下方向の変位に対しては連結ブロックの皿ばねの制御により、小振動から大きな振動まで有効に免震することができる。
【００１８】
【発明の効果】
本発明は、特に博物館等の展示品ケースの免震装置として、新しい展示品ケースにも従来の展示品ケースにも適応できて、円弧状のレールにより復元作用と連結ブロックの皿ばねにより上下方向の変位を制御して免震物が水平に維持され、有効に免震すると共に、展示品ケースの高さをほとんど変えることなく免震装置を収納できる。又、上面板に複数の貫通孔を設けることにより装置の軽量化を図れる。さらに上面板と下面板の中央部に摩擦ダンパーを配置することによりさらに確実な小型化された免震装置とすることができる。
【図面の簡単な説明】
【図１】本発明のＸレール側の正面図である。
【図２】本発明の側面図である。
【図３】図１に示す装置が振動により右方向に移動した状態を示す図である。
【図４】連結ブロックの拡大説明図である。
【図５】緩衝器の拡大説明図である。
【図６】本発明装置の部品の分解図である。
【図７】従来の免震装置の一例の正面図である。
【符号の説明】
１      下面板
２      上面板
３      Ｘレール
４      Ｙレール
５      連結ブロック
５−１  下部挾持部
５−２  上部挾持部
５−３  皿ばね
５−４  中心軸
６      凹部
７      支持脚
８      緩衝器
９      摩擦ダンパー
１０    免震物
１１    ボールベアリング
【図１】
0003806237.tif 000002
【図２】
0003806237.tif 000003
【図３】
0003806237.tif 000004
【図４】
0003806237.tif 000005
【図５】
0003806237.tif 000006
【図６】
0003806237.tif 000007
【図７】
0003806237.tif 000008